(57)【要約】【課題】精算処理を合理化することができ、かつ精算処理の確実性を上げることができる店舗における精算システムを提供する。【解決手段】サービス提供を受けた顧客が、精算代金を後払いするように、精算用磁気カードＣ２を顧客に付与する。精算用磁気カードＣ２には、カード番号その他の情報を磁気的に記録する磁気記録部Ｍと、ＩＣチップＩとが埋め込まれている。自動精算装置は、磁気記録部Ｍに記録されたカード番号に基づき、当該カード番号に対する精算金額を得て、顧客に対して入金処理を行なうよう指示する。ＩＣチップＩの通過を検知する検知器を店舗の出入口に備えることで、精算用磁気カードを持ったままの精算を行なっていない顧客が店舗外やトイレに行くことが防止される。【選択図】図２
2008027303.tif 000002
【特許請求の範囲】
【請求項１】
サービスを利用する個人または団体が精算を行なうために用いる情報記録媒体と、
店舗の出入口に設けられる、前記情報記録媒体が店舗外に搬出されることを検知する検知器と、
前記情報記録媒体に対応させて、その情報記録媒体を精算のために使用する個人または団体の支払金額を記録する記録装置と、
前記情報記録媒体に記録された情報を読出し、それに対応する支払金額を前記記録装置から抽出する抽出手段と、
前記抽出された支払金額に従って、サービスを利用する個人または団体の支払いを受付ける受付手段と、
前記検知器で、前記情報記録媒体が店舗外に搬出されることが検知されると、警告を行なう警告手段とを備えた、店舗における精算システム。
【請求項２】
前記情報記録媒体は、利用者に対して、精算に関する情報を書換え可能に表示する表示部をさらに備え、
前記表示部に対して、その情報記録媒体を用いる個人または団体の精算に関する情報をプリントし、それを消去することが可能なプリンタをさらに備えた、請求項１に記載の店舗における精算システム。
【発明の詳細な説明】
【技術分野】
【０００１】
この発明は店舗における精算システムに関し、特に飲食店などのサービスを提供する店舗における精算システムに関する。
【背景技術】
【０００２】
下記特許文献１においては、注文処理やスタッフオペレーションの効率化を図るために、食器にＩＣチップを埋め込み、それをセンサーで検出する、飲食店向け注文管理システムが開示されている。
【特許文献１】特開２００５−１０７６２４号公報
【発明の開示】
【発明が解決しようとする課題】
【０００３】
本発明は、精算処理を合理化することができ、かつ精算処理の確実性を上げることができる店舗における精算システムを提供することを目的とする。
【課題を解決するための手段】
【０００４】
上記目的を達成するためこの発明のある局面に従うと、店舗における精算システムは、サービスを利用する個人または団体が精算を行なうために用いる情報記録媒体と、店舗の出入口に設けられる、情報記録媒体が店舗外に搬出されることを検知する検知器と、情報記録媒体に対応させて、その情報記録媒体を精算のために使用する個人または団体の支払金額を記録する記録装置と、情報記録媒体に記録された情報を読出し、それに対応する支払金額を記録装置から抽出する抽出手段と、抽出された支払金額に従って、サービスを利用する個人または団体の支払いを受付ける受付手段と、検知器で、情報記録媒体が店舗外に搬出されることが検知されると、警告を行なう警告手段とを備える。
【０００５】
好ましくは情報記録媒体は、利用者に対して、精算に関する情報を書換え可能に表示する表示部をさらに備え、店舗における精算システムは、表示部に対して、その情報記録媒体を用いる個人または団体の精算に関する情報をプリントし、それを消去することが可能なプリンタをさらに備える。
【発明を実施するための最良の形態】
【０００６】
図１は、本発明の実施の形態における飲食店向け注文管理システムを導入した店舗の平面図である。
【０００７】
図を参照して店舗には、複数の顧客グループや個人が店舗を利用できるように、複数のテーブルＴ１〜Ｔ３（カウンタなどを配置してもよい）と椅子Ｃｈが備えられている。店舗を利用する複数の顧客グループや個人のそれぞれに、精算用磁気カードＣ１〜Ｃ３が手渡される。
【０００８】
店舗の出入口Ｅの付近の店内には、自動精算装置２００が備えられており、顧客グループや個人は、自動精算装置２００によってサービスを受けた対価を後払いで支払うことができる。店舗には、トイレＷＣなどのプライベート空間が設けられている。
【０００９】
店舗の出入口Ｅ、およびトイレＷＣの出入口には、精算用磁気カードＣ１〜Ｃ３を持った顧客が通過することを検知して、警報を発するための検知器１００ａ，１００ｂが備えられている。
【００１０】
図２は、精算用磁気カードの一枚の外観を示す図である。
図を参照して、精算用磁気カードＣ２には、カード番号（または顧客番号でもよい。以下同じ。）が記載されている。また、精算用磁気カードＣ２には、カード番号その他の情報を磁気的に記録する磁気記録部Ｍと、ＩＣチップＩと、ＩＣチップＩに接続され、外部装置と非接触で通信を行なうためのループアンテナＡＮＴが埋め込まれている。ループアンテナＡＮＴは、コイル状に数周巻かれる。
【００１１】
さらに精算用磁気カードＣ２には、利用者に対して、精算に関する情報（注文した商品、金額、精算の総額など）を書換え可能に表示する表示部Ｒが設けられる。表示部Ｒに対して、その精算用磁気カードを用いる個人または団体の精算に関する情報、およびテーブルＮｏ．などをプリントすることが可能である。また、プリントされた情報は、消去することが可能である。これにより表示部Ｒには、異なる情報を何度も書き込むことが可能である。
【００１２】
なお、ここでは磁気記録部Ｍに、カード番号その他の情報を記録することとしたが、このような情報は、ＩＣチップＩに書き込むようにしてもよい。
【００１３】
図３は、飲食店向け注文管理システムのハードウェア構成を示す図である。
図を参照して、飲食店向け注文管理システムは、カード番号に対応させて、その顧客の注文した商品と精算額の合計とを記録するサーバ３００と、店員が操作し、顧客の注文した商品の情報をカード番号に対応させて入力するＰＤＡ４００ａ〜４００ｃと、自動精算装置２００とから構成される。ＰＤＡ４００ａ〜４００ｃから入力された情報が、サーバ３００に記録される。
【００１４】
またＰＤＡ４００ａ〜４００ｃのそれぞれには、プリンタ４０３ａ〜４０３ｃが接続され、精算用磁気カードの表示部Ｒに対して、その精算用磁気カードを用いる個人または団体の精算に関する情報をプリントしたり、プリントした情報を消去する。
【００１５】
自動精算装置２００は、サーバ３００と通信することにより、カード番号ごとの精算金額を得ることができる。自動精算装置２００は、装置を制御するための制御部２０１と、精算用磁気カードＣ２の磁気記録部Ｍからカード番号を読取るカードリーダ２０３と、各種演算を行なう演算部２０５と、精算金願や顧客の操作のための情報を表示する表示部２０７と、紙幣、硬貨、クレジットカード、デビットカード、プリペイドカードなどを受付け、かつ釣銭の返却を行なう入金処理部２０９とを備えている。
【００１６】
店舗において飲食などのサービスを受け、店舗を退出する顧客は、精算用磁気カードを手にし、自動精算装置２００のカードリーダ２０３で精算用磁気カードの磁気記録部Ｍを読取らせる。自動精算装置２００は、磁気記録部Ｍに記録されたカード番号に基づき、サーバ３００に対し問合せをおこなう。これにより、当該カード番号に対する精算金額を得る。自動精算装置２００は、表示部２０７において顧客に対して精算金額を表示し、入金処理部２０９を用いて入金処理を行なうよう指示する。入金処理が正常に終了すると、自動精算装置２００は精算用磁気カードを回収し、顧客に精算処理が終了した旨を表示する。
【００１７】
なお、ここではサーバ３００において精算の情報を記録することとしたが、精算用磁気カードのＩＣチップＩに、その顧客の注文した商品と精算額の合計とを記録するようにしてもよい。このような構成にすると、自動精算装置２００は、カード番号に対する精算金額を精算用磁気カードから得ることができるため、サーバ３００を不要とすることもできる。
【００１８】
図４は、検知器１００ａ，１００ｂの１つの構成を示すブロック図である。
図を参照して、検知器は、精算用磁気カードのＩＣチップＩと通信を行なうことで、精算用磁気カードが通過することを検出するセンサ１０１と、検知器の制御を行なう制御部１０３と、精算用磁気カードが通過するときに警報を発し、通報を行なう通報部１０５とを備えている。
【００１９】
このような検知器を店舗の出入口Ｅ、およびトイレＷＣの出入口に備えることで、精算用磁気カードを持ったままの精算を行なっていない顧客が店舗外やトイレに行くことが防止され、精算の確実性を高めることができる。
【００２０】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２１】
【図１】本発明の実施の形態における飲食店向け注文管理システムを導入した店舗の平面図である。
【図２】精算用磁気カードの一枚の外観を示す図である。
【図３】飲食店向け注文管理システムのハードウェア構成を示す図である。
【図４】検知器１００ａ，１００ｂの１つの構成を示すブロック図である。
【符号の説明】
【００２２】
１００ａ，１００ｂ  検知器、１０１  センサ、１０３  制御部、１０５  通報部、２００  自動精算装置、２０１  制御部、２０３  カードリーダ、２０５  演算部、２０７  表示部、２０９  入金処理部、３００  サーバ、Ｃ１〜Ｃ３  精算用磁気カード、Ｅ  出入口、Ｉ  ＩＣチップ、Ｍ  磁気記録部、Ｔ１〜Ｔ３  テーブル、ＷＣ  トイレ。
【図１】
2008027303.tif 000003
【図２】
2008027303.tif 000004
【図３】
2008027303.tif 000005
【図４】
2008027303.tif 000006